(57)【特許請求の範囲】
【請求項１】
コピーやプリンタで印刷した回路図等のパターンを生基板に転写するための装置であって、
一対の板材（３０）と、
開口部（４１）を有する防水性の耐熱袋（４０）と、
板材（３０）同士を固定するための固定部材（６０）と、
一対の板材（３０）の間に介在させるスペーサ（７０）と、
パターンと生基板を挟み込むためのクッション材（２０）と、
耐熱袋（４０）の開口部（４１）を沸騰水上に維持するための支持部材（５０）と、
を備える転写装置。
【発明の詳細な説明】
【技術分野】
【０００１】
本発明はコピーやプリンタで印刷した回路図のパターン等の被写体を転写するための装置に関し、殊に回路図を基板に転写し、プリント基板を製作するための装置に関する。
【背景技術】
【０００２】
プリント基板を自作する際は、コピー機やプリンターで印刷した回路図を生基板に、アイロンやラミネーターで転写するという方法が採られる。
【０００３】
複数の層に回路パターンが形成された多層プリント基板を製造する技術が、例えば、特許文献１に開示されている。特許文献１の多層プリント配線板の製造方法は、両面銅張り積層板の一方の面に接着フィルムを、他方の面にドライフィルムをラミネートした状態で、ドライフィルムの露光・現像およびエッチング処理を行うことにより、積層板の他方の面に所定の回路パターンを形成する。そして、上述のようにして形成した２つの積層板の回路パターン面の間に両面プリント配線板を配置し、プリプレグを介してこれらを加熱プレス圧着することにより、多層プリント基板が製造される。
【先行技術文献】
【特許文献】
【０００４】
【特許文献１】特開平８−６４９６５号公報
【発明の概要】
【発明が解決しようとする課題】
【０００５】
本発明は簡単、且つ、安価にコピー機やプリンターで印刷した回路図を生基板に転写することが可能な装置を提供することを目的とする。
【課題を解決するための手段】
【０００６】
上記の目的を達成する本考案の構成は以下の通りである。
【０００７】
（１) 請求項１に記載の発明は、コピーやプリンタで印刷した回路図等のパターンを生基板に転写するための装置を、一対の板材と、開口部を有する防水性の耐熱袋と、板材同士を固定するための固定部材とにより構成した。
【０００８】
（２) 請求項２に記載の発明は、請求項１記載の転写装置に、一対の板材の間に介在させるスペーサと、パターンと生基板を挟み込むためのクッション材とを更に備えて構成した。
【０００９】
（３) 請求項３に記載の発明は、請求項１又は請求項２に記載の転写装置に、耐熱袋の開口部を沸騰水上に維持するための支持部材を更に備えて構成した。
【発明の効果】
【００１０】
上記のように構成される本発明が、如何に作用して課題を解決するかを図面を参照しながら概説する。
【００１１】
図１は本発明にかかる転写装置１０を模式的に示した概略説明図である。回路図等のパターンを印刷した用紙１と生基板２とを重ねた状体で耐熱袋４０の中に入れ、上下にクッション材３０を介在させたうえで、一対の板材３０で挟持するものである。
【００１２】
かかる状体で図３に示すように、水４が入れられ下部から加熱器５によって加熱されている容器３内に転写装置１０を浸け、転写装置１０を煮沸する。すると、用紙１に印刷された回路図等のパターンが生基板２に熱転写されるものである。
【００１３】
かように本発明によれば、沸騰した湯に浸け煮沸するだけで熱転写が可能となる。すなわち、簡単、且つ、安価しかも短時間で熱転写が可能な装置の提供が可能となるのである。
【００１４】
更には本発明によれば、下記に示すような効果も奏するものである。
【００１５】
沸騰した湯は温度が１００℃程度の一定した状体にとどまることから、温度制御装置が不要となる。
【００１６】
用紙と生基板を耐熱袋に収容することで均一に転写を行うことが可能となる。すなわち、袋に入れずに煮沸すると、体積が急激に増大した気泡が熱の伝導を部分的に遮ると共に、気泡の位置が不特定に移動するため、熱分布が均一でなくなり、結果転写結果が均一でなくなる。しかし、本発明によれば気泡が直接生基板等に接触しないことから、かかる不都合を回避可能となるのである。
【００１７】
請求項２に記載の転写装置では、一対の板材３０の間にスペーサ７０が介在させてある。これにより上下の板材３０による締め付け圧力が一定以上になることを抑制可能となる。また、クッション材２０を介在させることで固定部材６０による締め付け圧力が不均一になることを抑制可能となる。
【００１８】
請求項３に記載の発明では、耐熱袋４０の開口部４１を沸騰水上に維持するための支持部材５０が装備される。これにより耐熱袋４０内の残留空気が加熱により膨張し、耐熱袋４０が破裂すること防止することが可能となる。なお、チャックを設けることで開口部４１を閉鎖することを可能とすれば、耐熱袋４０内の空気を押し出したうえでチャックを閉じ、耐熱袋４０全体を湯中に沈めた状体で加熱転写することも可能である。
【００１９】
また、生基板の両面に回路図等のパターンが印刷された用紙を圧着させれば、生基板の両面に同時に熱転写を行うことが可能となる。
【図面の簡単な説明】
【００２０】
【図１】本発明の概略説明図
【図２】本発明の概略構成図
【図３】実施状体を示す説明図
【発明を実施するための形態】
【００２１】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２２】
本発明に係る転写装置１０は、一対の板材３０、耐熱袋４０、固定部材６０、クッション材２０及び支持部材５０を主な構成要素とする。
【００２３】
図２に示すように板材３０は方形の板状体であり、材質は煮沸により変形や変質しない特性を有する金属板や樹脂板を利用可能である。むろん方形という形状は一例であり、任意の形状を採用できる。
【００２４】
一方の板材３０には耐熱袋４０の開口部４１を支持するための支持部材５０が設けてある。図１や図２において支持部材５０は板材３０上に立設された支柱５１と開口部４１を挟持するクリップ５２で形成されているが、もちろんかかる形状に限定されるものではない。他には支柱５１を板状にし、これに磁石を装着し、別の磁石で開口部４１を挟むようにしても良い。また、支柱５１に保持リングを取り付け、当該保持リングで開口部を保持するようにしても良い。要は開口部４１を水面より上部に支持できれば任意の形態を採用できる。
【００２５】
クッション材２０は図２に示すように、耐熱性、弾性及び通気性を有する素材で形成された方形の板状体である。回路図１ａが印刷された用紙１及び生基盤２を挟む形態で一対備えられるものである。
【００２６】
固定部材６０は図１に示すようにボルト６１及び六角長ナット６２で成るものである。六角長ナット６２を採用しているのは締めつけ及び解放を容易にするためである。無論これは一例であり、一対の板材３０を緊締できるものであれば、任意の手段を採用できる。
【００２７】
また、板材３０にはボルト６１を通すための孔部３１が複数設けてある。
【００２８】
一対の板材３０，３０の間には図１に示すようにスペーサ７０が介在させてある。図１においては他の部材を可視的にするため、スペーサ７０は一部破断して作図してあるが、実際は図２に示すように板状体であり、一対装備されるものである。
【００２９】
むろんかかるスペーサの形状は一例であり、他にも円筒形状でありボルト６１を緩挿させることで板材３０の四隅に介在させるといったもの、その他任意の形状のものを採用できる。
【００３０】
耐熱袋４０は耐熱性及び防水性を有する樹脂製等の袋体であり、用紙１及び生基板２を内部に収容するための開口部４１を有するものである。開口部４１に図示しないチャックを設けて、開閉自在にすれば、より使い勝手に富むものとなる。
【００３１】
図３は転写作業時を示すものであるが、容器３は鍋を加熱器５はガスコンロなどを使用できるものである。
【符号の説明】
【００３２】
１０・・転写装置
２０・・クッション材
３０・・板材
４０・・耐熱袋      ４１・・開口部
５０・・支持部材
６０・・固定部材
７０・・スペーサ
【図１】
0006621258.tif 000002
【図２】
0006621258.tif 000003
【図３】
0006621258.tif 000004